(57)【要約】【課題】容器の胴部または鏡板部の一部を新規部品と交換して確実に溶接できる容器の部分更新方法を提供する。【解決手段】切除工程で、胴部１の更新すべき部分を切除し、スリット形成工程で、切除後に残っており、変形が生じている既設部分１０でかつ新規部品３との接合部分に複数のスリット１１を所定間隔で形成し、新規部品設置工程で、切除工程において切除した部分に新規部品３３を設置し、矯正工程で、隣り合うスリット１１，１１間にある変形片１２を矯正して、変形が生じている既設部分１０を矯正し、溶接工程で、新規部品３と矯正された既設部分１０との接合部分を溶接するので、胴部１の一部を新規部品３と交換して確実に溶接できる。【選択図】図３
2018062768.tif 000002
【特許請求の範囲】
【請求項１】
容器の胴部または鏡板部の一部を新規部品に更新する方法であって、
前記胴部または前記鏡板部の更新すべき部分を切除する切除工程と、
切除後に残っており、変形が生じている既設部分でかつ前記新規部品との接合部分に複数のスリットを所定間隔で形成するスリット形成工程と、
前記切除工程において切除した部分に前記新規部品を設置する新規部品設置工程と、
隣り合う前記スリット間にある変形片を矯正して、変形が生じている前記既設部分を矯正する矯正工程と、
前記新規部品と矯正された前記既設部分との接合部分を溶接する溶接工程と、
を含むことを特徴とする容器の部分更新方法。
【請求項２】
容器の胴部または鏡板部の一部を新規部品に更新する方法であって、
前記胴部または前記鏡板部の一部を、更新すべき部分より小さく切除する第１切除工程と、
切除後に残っており、変形が生じている既設部分に、前記新規部品との接合部分を横切る複数のスリットを所定間隔で形成するスリット形成工程と、
隣り合う前記スリット間にある変形片を矯正して、変形が生じている前記既設部分を大まかに矯正する第１矯正工程と、
前記第１切除工程で切除した部分を越えて前記胴部または前記鏡板部の一部を、前記スリットに交差するようにして切除する第２切除工程と、
前記第１切除工程および前記第２切除工程において切除した部分に前記新規部品を設置する新規部品設置工程と、
前記第２切除工程の切除後に残っている隣り合うスリット間にある変形片を矯正して、変形が生じている前記既設部分を矯正する第２矯正工程と、
前記新規部品と矯正された前記既設部分との接合部を溶接する溶接工程と、
を含むことを特徴とする容器の部分更新方法。
【請求項３】
請求項１または請求項２に記載の容器の部分更新方法で使用される矯正治具であって、
前記新規部品設置工程で設置された新規部品に一端部が固定され、かつ他端部が前記変形片側に配置される固定部と、
前記固定部の前記他端部に螺合され、軸回りに回転されることで、前記変形片を押圧して矯正する押圧部とを備えることを特徴とする矯正治具。
【請求項４】
請求項２に記載の容器の部分更新方法で使用される矯正治具であって、
前記容器の胴部に固定される固定部と、
この固定部に設けられ、前記第１スリット形成工程で形成された隣り合うスリット間にある前記変形片を押圧する押圧部とを備えることを特徴とする矯正治具。
【発明の詳細な説明】
【技術分野】
【０００１】
本発明は、圧力容器等の容器の胴部や鏡板部を部分的に更新する容器の部分更新方法およびこの部分更新方法で使用される矯正治具に関する。
【背景技術】
【０００２】
石油精製装置の常圧蒸留装置や減圧蒸留装置の主蒸留塔などの塔槽類等の圧力容器では、長年の使用により胴板（胴部）や鏡板部の一部分が腐食したり、変形した場合、その箇所を部分的に新規部品に更新（交換）したり、修復する必要がある。
このような塔槽類の胴板の部分更新工法の一例として、特許文献１に記載のものが知られている。
この工法は、塔槽類の胴板の一部分の大型円筒状胴板部分を更新する工法であって、更新する前記大型円筒状胴板部分を上下方向に複数個の円筒状胴板部分に分け、この円筒状胴板部分を周方向に部分的に切断して取り除き、取り除いて生じた開口に新規部分胴板を溶接により取り付けることを繰り返すことにより、前記各円筒状胴板部分を順次更新して、前記大型円筒状胴板部分を更新する工法である。
【０００３】
また、圧力容器の鏡板部（例えば流動接触分解装置用再生塔のプレナムチャンバ）の修復方法の一例として、特許文献２に記載のものが知られている。
この修復方法は、プレナムチャンバの内壁面から耐摩耗性被覆層を除去し、その後前記プレナムチャンバの変形部を矯正し、その後前記プレナムチャンバの前記内壁面上に複数の補強用リブを溶接し、その後前記複数の補強用リブを含めて前記プレナムチャンバの前記内壁面を新たな耐摩耗性被覆層で被覆する方法である。
【先行技術文献】
【特許文献】
【０００４】
【特許文献１】特開２００９−２０９６４９号公報
【特許文献２】特許５７６４５１６号公報
【発明の概要】
【発明が解決しようとする課題】
【０００５】
ところで、上述した塔槽類の胴板の部分更新工法において、変形箇所を部分的に新規部品に交換する場合に、既設部分(切り取った残りの部分)は経年劣化等による変形が激しく、新規部品の円弧形状と正確には合わないため溶接が非常に困難か不可能となり、場合によっては、既設部分の全体の取り換えが必要であり、費用面で大きな負担になっていた。
また、上述した圧力容器の鏡板部の修復方法において、鏡板部の変形が大きくなって、修復では対応できなくなった場合は、その箇所を部分的に新規部品に交換する必要が生じてくるが、この場合も、胴部（胴板）の場合と同様に、既設部分(切り取った残りの部分)は経年劣化等による変形が激しく、新規部品の形状と正確には合わないため溶接が非常に困難か不可能となる。
【０００６】
本発明は、前記事情に鑑みてなされたもので、容器の胴部または鏡板部の一部を新規部品と交換して確実に溶接できる容器の部分更新方法およびこの方法において使用される矯正治具を提供することを目的としている。
【課題を解決するための手段】
【０００７】
前記目的を達成するために本発明に係る容器の部分更新方法は、容器の胴部または鏡板部の一部を新規部品に更新する方法であって、
前記胴部または前記鏡板部の更新すべき部分を切除する切除工程と、
切除後に残っており、変形が生じている既設部分でかつ前記新規部品との接合部分に複数のスリットを所定間隔で形成するスリット形成工程と、
前記切除工程において切除した部分に前記新規部品を設置する新規部品設置工程と、
隣り合う前記スリット間にある変形片を矯正して、変形が生じている前記既設部分を矯正する矯正工程と、
前記新規部品と矯正された前記既設部分との接合部分を溶接する溶接工程と、を含むことを特徴とする。
【０００８】
本発明においては、切除工程で、胴部または鏡板部の更新すべき部分を切除し、スリット形成工程で、切除後に残っており、変形が生じている既設部分でかつ前記新規部品との接合部分に複数のスリットを所定間隔で形成し、新規部品設置工程で、切除工程において切除した部分に新規部品を設置し、矯正工程で、隣り合うスリット間にある変形片を矯正して、変形が生じている既設部分を矯正し、溶接工程で、新規部品と矯正された既設部分との接合部分を溶接するので、容器の胴部または鏡板部の一部を新規部品と交換して確実に溶接できる。
【０００９】
本発明に係る別の容器の部分更新方法は、容器の胴部または鏡板部の一部を新規部品に更新する方法であって、
前記胴部または前記鏡板部の一部を、更新すべき部分より小さく切除する第１切除工程と、
切除後に残っており、変形が生じている既設部分に、前記新規部品との接合部分を横切る複数のスリットを所定間隔で形成するスリット形成工程と、
隣り合う前記スリット間にある変形片を矯正して、変形が生じている前記既設部分を大まかに矯正する第１矯正工程と、
前記第１切除工程で切除した部分を越えて前記胴部または前記鏡板部の一部を、前記スリットに交差するようにして切除する第２切除工程と、
前記第１切除工程および前記第２切除工程において切除した部分に前記新規部品を設置する新規部品設置工程と、
前記第２切除工程の切除後に残っている隣り合うスリット間にある変形片を矯正して、変形が生じている前記既設部分を矯正する第２矯正工程と、
前記新規部品と矯正された前記既設部分との接合部を溶接する溶接工程と、を含むことを特徴とする。
【００１０】
本発明においては、第１切除工程で胴部または前記鏡板部の一部を、更新すべき部分より小さく切除し、スリット形成工程で、切除後に残っており、変形が生じている既設部分に、新規部品との接合部分を横切る複数のスリットを所定間隔で形成するので、隣り合うスリット間にある変形片は、第２切除工程の切除後に残っている隣り合うスリット間にある変形片より大きいものとなる。したがって、第１矯正工程で、この大きい変形片を矯正して、変形が生じている前記既設部分を大まかに矯正することができるので、既設部分の変形が大きい場合に、まず、この変形を大まかに矯正できる。
次に、第２切除工程で、第１切除工程で切除した部分を越えて胴部または鏡板部の一部を、前記スリットに交差するようにして切除し、新規部品設置工程で、第１切除工程および第２切除工程において切除した部分に新規部品を設置し、第２矯正工程で、第２切除工程の切除後に残っている隣り合うスリット間にある変形片を矯正して、変形が生じている既設部分を矯正し、つまり細かく矯正し、溶接工程で、新規部品と矯正された既設部分との接合部分を溶接するので、既設部分の変形が大きい場合でも、容器の胴部または鏡板部の一部を新規部品と交換して確実に溶接できる。
【００１１】
また、本発明に係る矯正治具は、上述した容器の部分更新方法で使用される矯正治具であって、
前記新規部品設置工程で設置された新規部品に一端部が固定され、かつ他端部が前記変形片側に配置される固定部と、
前記固定部の前記他端部に螺合され、軸回りに回転されることで、前記変形片を押圧して矯正する押圧部とを備えることを特徴とする。
【００１２】
本発明においては、容器の部分更新方法中の矯正工程または第２矯正工程において、矯正治具の固定部を設置された新規部品に固定したうえで、押圧部によって変形片を押圧することで、変形片を容易に矯正することができる。
【００１３】
また、本発明に係る別の矯正治具は、上述した容器の部分更新方法で使用される矯正治具であって、
前記容器の胴部に固定される固定部と、
この固定部に設けられ、前記第１スリット形成工程で形成された隣り合うスリット間にある前記変形片を押圧する押圧部とを備えることを特徴とする。
【００１４】
本発明においては、容器の部分更新方法中の第１矯正工程において、矯正治具の固定部を容器の胴部に固定したうえで、押圧部によって変形片を押圧することで、変形片を容易に大まかに矯正することができる。
【発明の効果】
【００１５】
本発明によれば、容器の胴部または鏡板部の一部を新規部品と交換して確実に溶接できる。
【図面の簡単な説明】
【００１６】
【図１】本発明の第１の実施の形態を示すもので、上側の円筒状胴板部分の更新工程を示す斜視図である。
【図２】同、変形している既設部分と新規部品との接合部付近を示す要部の断面図である。
【図３】同、胴部の部分更新方法の工程を示すもので、（ａ）は変形している既設部分にスリットを形成した状態を示す要部の正面図、（ｂ）は切除した部分に新規部品を設置した状態を示す要部の正面図、（ｃ）は既設部分を矯正している状態を示す要部の正面図、（ｄ）は既設部分と新規部品とを溶接した状態を示す要部の正面図である。
【図４】同、矯正治具を取り付けた状態を示す要部の断面図である。
【図５】同、矯正治具を取り付けた状態を示す要部の正面図である。
【図６】本発明の第２の実施の形態を示すもので、鏡板部を示す平面図である。
【図７】同、鏡板部を示す断面図である。
【図８】同、鏡板部を示す要部の斜視図である。
【図９】本発明の第３の実施の形態の鏡板部の部分更新方法の工程を示すもので、（ａ）は、鏡板部の一部を更新すべき部分より小さく切除した状態を示す平面図、（ｂ）は変形している既設部分にスリットを形成した状態を示す平面図、（ｃ）は鏡板部の一部をスリットに交差するようにして切除した状態を示す平面図、（ｄ）は既設部分を矯正している状態を示す平面図、（ｅ）は既設部分と新規部品とを溶接した状態を示す平面図である。
【図１０】本発明の第３の実施の形態を示すもので、矯正治具を取り付けた状態を示す要部の断面図である。
【発明を実施するための形態】
【００１７】
以下、本発明の実施の形態について図面を参照して説明する。
本実施の形態は、本発明を石油精製装置の常圧蒸留装置や減圧蒸留装置の主蒸留塔の胴部または鏡板部を部分的に更新する場合に適用したものである。
（第１の実施の形態）
第１の実施の形態は、容器の胴部を部分的に更新した例であり、当該胴部の部分更新方法においては、まず、胴部の腐食等により減肉した部分や変形した部分を調査し、更新する範囲を決定する。
主蒸留塔は、横断面形状が円筒形の大型の塔（蒸留塔）であり、その胴部１の直径はおよそ４〜１０ｍ程度のものである。そして、図１に示すように、主蒸留塔の胴部１のうちの上下方向（高さ方向）の中間部の一部分の大型の円筒状胴板部分２００を新しいものに更新する。この例では、この更新する大型円筒状胴板部分２００は、その寸法が例えば４ｍを越えるものである。
【００１８】
この主蒸留塔の胴部の部分更新方法においては、更新する大型円筒状胴板部分２００を上下方向に複数個の円筒状胴板部分２に分け、各円筒状胴板部分２を順次更新して、大型円筒状胴板部分２００を更新する。
更新する大型円筒状胴板部分２００の上下方向の寸法は例えば９〜１２ｍ程度あり、この大型円筒状胴板部分２００を上下方向の寸法が３〜４ｍ程度の上側、中、下側の３つの円筒状胴板部分２に分け、上側の円筒状胴板部分２から下側の円筒状胴板部分２に向かって順次更新する。
【００１９】
各円筒状胴板部分２を更新する場合、円筒状胴板部分２を周方向に複数個に均等に分割した場合に得られる形状の分割板を新たに製作し、円筒状胴板部分２を周方向に部分的に切断して除去（切除）すること（切除工程）で、生じた開口６に、この新規部分胴板（新規部品）３を嵌め込んで溶接することを繰り返すことにより、円筒状胴板部分２を新たな円筒状胴板部分に変更する。
【００２０】
上側の円筒状胴板部分２を更新する際に、新規部分胴板３を開口（切除した部分）６に嵌め込む（設置する）場合、図２に示すように、前記切除工程における切除後に残っており、変形が生じている既設部分１０の下端部が外側に捲れるように変形していると、この下端部と新規部分胴板３との接合部がぴったりと合っていないため、当該接合部を溶接できなくなる。
このため、本実施の形態では、以下のようにして、変形が生じている既設部分１０の下端部を矯正する。
【００２１】
まず、図３（ａ）に示すように、前記切除工程における切除後に残っており、変形が生じている既設部分１０でかつ新規部分胴板３（図２参照）との接合部、つまり既設部分１０の下端部に、複数のスリット１１を胴部１の周方向に所定間隔で形成する（スリット形成工程）。このスリット１１の長さは５０ｍｍ〜１５０ｍｍとなっており、変形のサイズに合わせてある。また、隣り合うスリット１１，１１間の間隔は１００ｍｍ〜２００ｍｍとなっており、変形の状態に合わせてある。
【００２２】
次に、図３（ｂ）に示すように、切除工程において切除した部分（開口）６に新規部分胴板３を嵌め込んで設置する（新規部品設置工程）。新規部分胴板３は、図１に示すように、縦長でかつ断面が円弧状の円弧状板となっている。隣り合うスリット１１，１１間にある変形片１２は外側に捲れるように変形しているため、変形片１２と新規部分胴板３との間には若干の隙間が生じている。
次に、図３（ｃ）に示すように、隣り合うスリット１１，１１間にある変形片１２を矯正して、変形が生じている既設部分１０を矯正する（矯正工程）。
【００２３】
このような矯正は、図４および図５に示すような矯正治具１５を用いて行う。
図４および図５に示すように、矯正治具１５は、固定部１６と押圧部１７とを備えている。固定部１６は鋼材等によって断面略Ｌ字状に形成されており、その一端部が新規部品設置工程で設置された新規部分胴板３の表面に溶接によって固定されている。
また、固定部１６はその他端部にナット１６ａを備えており、当該ナット１６ａは固定部１６の他端部に溶接によって固定されている。また、ナット１６ａは変形片１２の左右方向略中央部側に配置されている。
【００２４】
押圧部１７はボルトによって構成されており、当該ボルトの雄ねじ部がナット１６ａに螺合されている。そして、押圧部１７の頭部を作業者がレンチ等の工具によって回すことによって、当該押圧部１７の先端部によって変形片１２を内側（胴部１の内側）に向けて押圧することで、当該変形片１２を内側に曲げて矯正する。
変形片１２が矯正されると、当該変形片１２の下端部が下方に真っすぐに延びるように矯正され、変形片１２の表面と新規部分胴板３の表面とがほぼ面一となるとともに、変形片１２の下端面と新規部分胴板３の上端面とが僅かな隙間をもって平行に対向する。
【００２５】
そして、このような矯正治具１５による矯正を、全ての変形片１２に対して行うことによって、変形が生じている既設部分１０の下端部を矯正する（矯正工程）。この場合、１つの矯正治具１５を用いて、全ての変形片１２に対して順次矯正を行ってもよいし、矯正治具１５を複数用意しておき、各矯正治具１５によってそれぞれの変形片１２に対して矯正を行ってもよい。
【００２６】
また、既設部分１０の下端部が内側に撓むように変形している場合も上述した場合と同様にしてスリット１１を複数形成し、隣り合うスリット１１，１１間にある変形片１２を矯正する。この場合、矯正治具１５の固定部１６の一端部を新規部分胴板３の裏面に溶接によって固定し、押圧部１７によって変形片１２を内側から外側に向けて押圧して矯正すればよい。
【００２７】
このようにして、全ての変形片１２を矯正した後、図３（ｄ）に示すように、新規部分胴板３と矯正された既設部分１０の下端部との接合部分を溶接するとともに、各スリット１１に溶接金属を流し込んで、当該スリット１１を埋める。
【００２８】
上述したような、切除工程、スリット形成工程、新規部品設置工程、矯正工程および溶接工程を、図１に示すように、上側の円筒状胴板部分２に対して行うとともに、周方向に隣り合う新規部分胴板３，３どうしを溶接によって接合することで、当該上側の円筒状胴板部分２の更新が終了する。
【００２９】
また、下側の円筒状胴板部分２については、それより下方にある既設部分１０の上端部が変形している場合は、上述した場合と同様にして、既設部分１０の上端部を矯正し、当該既設部分１０の上端部と新規部分胴板３との接合部分を溶接するとともに、各スリットに溶接金属を流し込んで、当該スリットを埋めることによって、下側の円筒状胴板部分２の更新を行う。
中央側の円筒状胴板部分２については、その上下に位置する円筒状胴板部分２，２が新規部品であり、変形は生じていないため、上述したような矯正を行う必要はない。
なお、円筒状胴板部分２の更新は、上側の円筒状胴板部分２から下側の円筒状胴板部分２に向かって順次行う。
【００３０】
本実施の形態によれば、切除工程で、胴部１の更新すべき部分を切除し、スリット形成工程で、切除後に残っており、変形が生じている既設部分１０でかつ新規部分胴板３との接合部分に複数のスリット１１を所定間隔で形成し、新規部品設置工程で、切除工程において切除した部分（開口６）に新規部分胴板３を設置し、矯正工程で、隣り合うスリット１１，１１間にある変形片１２を矯正して、変形が生じている既設部分１０を矯正し、溶接工程で、新規部分胴板３と矯正された既設部分１０との接合部分を溶接するので、容器の胴部１の一部を新規部分胴板３と交換して確実に溶接できる。
したがって、胴部１の部分的に変形した箇所を設計時の寸法、形状に戻すことが可能となるので、新設時と同等の耐圧性能を有する圧力容器の胴部を提供できる。
【００３１】
また、矯正工程において、矯正治具１５の固定部１６を設置された新規部分胴板３に固定したうえで、押圧部１７によって変形片１２を押圧することで、変形片１２を容易に矯正することができる。
【００３２】
なお、本実施の形態では、円筒状胴板部分２を周方向に部分的に切断して除去（切除）すること（切除工程）で、生じた開口６に、この新規部分胴板（新規部品）３を嵌め込んで溶接することを繰り返すことにより、円筒状胴板部分２を新たな円筒状胴板部分に変更するようにしたが、胴部１が小径の場合は、円筒状胴板部分２を周方向に部分的に切除することなく、そのまま更新してもよい。
この場合、円筒状胴板部分２の全体を切除し、変形が生じている既設部分でかつ更新すべき新規円筒状胴板部分との接合部分に複数のスリットを所定間隔で形成し、切除した部分に新規円筒状胴板部を設置し、隣り合うスリット間にある変形片を矯正して、変形が生じている既設部分を矯正し、新規円筒状胴板部と矯正された既設部分との接合部分を溶接すればよい。
【００３３】
（第２の実施の形態）
図６〜図８は第２の実施の形態を示すものである。本実施の形態では、主蒸留塔（容器）の鏡板部を部分更新する方法について説明する。
鏡板部とは、例えば前記主蒸留塔等の容器の両端部を塞ぐ板状の部材のことであり、平平面視において、円状、楕円状等に形成されている。
【００３４】
図６は鏡板部を示す平面図、図７は同断面図である。
図６および図７に示すように、鏡板部２０は平面視において略円状に形成されている。鏡板部２０は、中央部を構成する鏡板部本体２１と、この鏡板部本体２１の外周側に設けられて、胴部１に接合される外周部材２２とを備えている。
そして、本実施の形態では、鏡板部本体２１を新規部品に更新する。
【００３５】
まず、図６および図７に示すように、鏡板部２０の更新すべき部分、つまり鏡板部本体２１を切除する（切除工程）。
次に、図８に示すように、切除後に残っており、変形が生じている既設部分（外周部材）２２でかつ新規部品２３との接合部分に複数のスリット２５を鏡板部２０の周方向に所定間隔で形成する（スリット形成工程）。例えば、図６に示すように、既設部分２２を周方向に略３等分し、各部位にそれぞれ複数（本実施の形態では８本または１１本）のスリット２５を形成する。
【００３６】
次に、切除工程において切除した部分に新規部品２３を設置する（新規部品設置工程）。その後、隣り合うスリット２５，２５間にある変形片２６を矯正して、変形が生じている既設部分２２を矯正する（矯正工程）。
この矯正工程では、第１の実施の形態と同様に、矯正治具１５を使用し、その固定部１６の一端部を新規部品２３の外周部の表面に固定し、他端部を変形片２６側に配置する。そして、固定部１６の他端部にあるナット１６ａに螺合している押圧部１７を回して、当該押圧部１７によって変形片２６を内側に押圧して矯正する。
このような矯正治具１５による矯正を、全ての変形片２６に対して行うことによって、変形が生じている既設部分２２の下端部を矯正する。
次に、新規部品２３と矯正された既設部分２２との接合部分を溶接する（溶接工程）とともに各スリット２５に溶接金属を流し込んで、当該スリット２５を埋めることによって、新規部品２３の更新を終了する。
本実施の形態によれば、第１の実施の形態と同様の効果を得ることができる。
【００３７】
（第３の実施の形態）
図９および図１０は第３の実施の形態を示すものである。本実施の形態では、主蒸留塔（容器）の鏡板部を部分更新する方法について説明する。
【００３８】
まず、図９（ａ）に示すように、鏡板部３０の一部を、更新すべき部分より小さく切除する（第１切除工程）。具体的には、鏡板部３０の変形している既設部分３１の一部を含んで、鏡板部３０の一部を当該鏡板部３０と同心の平面視円板状に切除する。なお、この切除した部分は円状の孔３０ａとなっている。
次に、図９（ｂ）に示すように、切除後に残っており、変形が生じている既設部分３１に、新規部品３３（図９（ｄ）参照）との境界部分３２を横切る複数のスリット３５を鏡板部３０の周方向に所定間隔で形成する（スリット形成工程）。スリット３５は、孔３０ａの縁から外周側に放射状に延びるとともに、変形が生じている既設部分３１内に設けられている。また、スリット３５の長さは変形の大きさや範囲に対応させて形成する。
【００３９】
次に、隣り合うスリット３５，３５間にある変形片３６を矯正して、変形が生じている既設部分３１を大まかに矯正する（第１矯正工程）。
このような矯正は、図１０に示すような矯正治具４０を用いて行う。
図１０に示すように、矯正治具４０は、固定部４１と押圧部４２とを備えている。固定部４１は、Ｈ形鋼によって形成されており、その一端部が当て板４３を介して胴部１の内周壁に固定されている。固定部４１の他端部には、変形片３６を押圧する押圧部４２が垂設されている。
押圧部４２は例えば油圧ジャッキ４２によって構成され、この油圧ジャッキ４２のピストンロッド４２ａが上下に伸縮可能となっている。
【００４０】
そして、押圧部（油圧ジャッキ）４２のピストンロッド４２ａが下方に伸びることによって、当該ピストンロッド４２ａの先端部（下端部）によって変形片３６を外側（下側）に向けて押圧することで、大まかに矯正する。
ピストンロッド４２ａで押圧される部分は、図９（ｂ）において、孔３０ａの縁と境界部分３２との間に位置する変形片３６の部分である。孔３０ａの縁と境界部分３２との間の距離は比較的長いため、この間に位置する変形片３６をピストンロッド４２ａによって確実に押圧することができる。
【００４１】
変形片３６がピストンロッド４２ａの押圧によって大まかに矯正されると、当該変形片３６の位置や形状が鏡板部３０の設計時における当該位置および形状に近づく。そして、変形片３６の寸法および位置を測定して、矯正が予定どおりになされたか否かを確認し、なされていなかった場合には、再び矯正を行って確認する。
このような矯正治具４０による矯正を、全ての変形片３６に対して行うことによって、変形が生じている既設部分３１を大まかに矯正する。
【００４２】
次に、図９（ｃ）に示すように、第１切除工程で切除した部分を越えて鏡板部３０の一部を、スリット３５に交差するようにして切除する（第２切除工程）。具体的には、第１切除工程で切除した部分（孔３０ａ）より外周側にある鏡板部３０の一部を平面視円環状に、かつスリット３５に交差するようにして、前記境界部分３２に沿って切除する。
これによって、鏡板部３０には、新規部品３３を嵌め込む（設置する）ための円状の孔３０ｂが形成されるとともに、変形片３６の一部（鏡板部３０の径方向において半分以上の部分）が切除される。
【００４３】
次に、図９（ｄ）に示すように、第１切除工程および第２切除工程において切除した部分、つまり孔３０ｂに新規部品３３を嵌め込んで設置する（新規部品設置工程）。この新規部品３３は例えば胴部１に設けた支持部からワイヤ等によって上から吊り下げておく。
次に、第２切除工程の切除後に残っている隣り合うスリット３５，３５間にある変形片３６を矯正して、変形が生じている既設部分３１を微調整しながら矯正する（第２矯正工程）。
この第２矯正工程では、第１の実施の形態と同様に、矯正治具１５を使用し、その固定部１６の一端部を新規部品３３の外周部の表面に固定し、他端部を変形片３６側に配置する。そして、固定部１６の他端部にあるナットに螺合している押圧部１７を回して、当該押圧部１７によって変形片３６を押圧して矯正する。
このような矯正治具１５による矯正を、全ての変形片３６に対して行うことによって、変形が生じている既設部分３１を矯正する。
【００４４】
最後に、図９（ｅ）に示すように、新規部品３３と矯正された既設部分３１との接合部分および新規部品３３と孔３０ｂの縁部とを溶接する（溶接工程）とともに各スリット３５に溶接金属を流し込んで、当該スリット３５を埋めることによって、新規部品３３の更新を終了する。
【００４５】
本実施の形態によれば、第１切除工程で鏡板部３０の一部を、更新すべき部分より小さく切除し、スリット形成工程で、切除後に残っており、変形が生じている既設部分３１に、新規部品３３との接合部分を横切る複数のスリット３５を所定間隔で形成するので、隣り合うスリット３５，３５間にある変形片３６は、第２切除工程の切除後に残っている隣り合うスリット３５，３５間にある変形片３６より大きいものとなる。したがって、第１矯正工程で、この大きい変形片３６を矯正して、変形が生じている既設部分３１を大まかに矯正することができるので、既設部分３１の変形が大きい場合に、まず、この変形を大まかに矯正できる。
【００４６】
次に、第２切除工程で、第１切除工程で切除した部分を越えて鏡板部３０の一部を、スリット３５に交差するようにして切除し、新規部品設置工程で、第１切除工程および第２切除工程において切除した部分（孔３０ｂ）に新規部品３３を設置し、第２矯正工程で、第２切除工程の切除後に残っている隣り合うスリット３５，３５間にある変形片３６を矯正して、変形が生じている既設部分３１を矯正する、つまり微調整しながら細かく矯正し、溶接工程で、新規部品３３と矯正された既設部分３１との接合部分を溶接するので、既設部分３１の変形が大きい場合でも、鏡板部３０の一部を新規部品３３と交換して確実に溶接できる。
【００４７】
また、第１矯正工程において、矯正治具４０の固定部４１を胴部１に固定したうえで、押圧部４２によって変形片３６を押圧することで、変形片３６を容易に大まかに矯正することができる。
【００４８】
なお、本実施の形態では、図１０に示すように、既設部分３１が胴部１の内側（図１０では上側）に変形している場合を例にとって説明したが、既設部分３１が外側（図１０では下側）に変形している場合でも、同様に矯正して、鏡板部３０の一部を新規部品に更新することができる。この場合、矯正治具４０を鏡板部３０の下側に設置し、矯正治具１５を鏡板部３０の下面に設ければよい。
【符号の説明】
【００４９】
１  胴部
３  新規部分胴板（新規部品）
１０  既設部分
１１，２５，３５  スリット
１２，２６，３６  変形片
１５  矯正治具
１６  固定部
１７押圧部
２０，３０  鏡板部
２２  外周部材（既設部分）
２３，３３  新規部品
３１  既設部分
４０  矯正治具
４１  固定部
４２  押圧部
【図１】
2018062768.tif 000003
【図２】
2018062768.tif 000004
【図３】
2018062768.tif 000005
【図４】
2018062768.tif 000006
【図５】
2018062768.tif 000007
【図６】
2018062768.tif 000008
【図７】
2018062768.tif 000009
【図８】
2018062768.tif 000010
【図９】
2018062768.tif 000011
【図１０】
2018062768.tif 000012